(57)【特許請求の範囲】
【請求項１】
被写体を撮像して画像データを出力する撮像部と、
前記画像データに基づいて画像を表示可能であり、且つ表示面の向きを変更可能である表示部と、
前記表示部の表示面の向きを検出する回転検出部と、
被写体を特定するための情報を検出する被写体検出部と、前記被写体検出部の検出情報および前記回転検出部の検出結果に応じて、前記表示部に表示させる内容の上下を、反転させるか否かを、制御する表示制御部と、を有する制御部と、
を備えた撮像装置。
【請求項２】
前記表示制御部は、
前記回転検出部の検出結果に応じて、前記表示部に表示させる内容の上下を、反転させるか否かを、制御し、
前記被写体検出部が、被写体を特定するための前記情報を検出しない場合、前記回転検出部の検出結果にかかわらず、前記表示部に表示させる内容の上下を、反転させない、
請求項１記載の撮像装置。
【請求項３】
被写体を特定するための前記情報は、前記画像データに含まれる被写体に関する情報である、
請求項１又は２に記載の撮像装置。
【請求項４】
被写体に関する前記情報は、人物の顔である、
請求項３記載の撮像装置。
【請求項５】
被写体を特定するための前記情報は、シーンモードを識別するための情報である、
請求項１又は２に記載の撮像装置。
【請求項６】
入力を受け付ける入力部、
をさらに備え、
前記入力部が所定の入力を受け付けた場合、前記表示制御部は、前記回転検出部の検出結果に基づいて、前記表示部に表示させる内容の上下を、反転させる、
請求項１から５のいずれかに記載の撮像装置。
【発明の詳細な説明】
【技術分野】
【０００１】
本発明は、表示面の角度を変更可能なモニタを備えた撮像装置に関する。
【背景技術】
【０００２】
デジタルスチルカメラやムービー等の撮像装置において、撮像した画像データ等を表示するためのモニタの角度を変更可能なものが知られている（例えば、特許文献１参照。）。
このようなモニタを備えた従来の撮像装置は、モニタの表示面を１８０度回転させることにより、被写体側に向けることが可能である場合も多い。このとき、被写体から見て表示される画像が、正しい位置となるように、モニタの回転角度に応じて、表示させる画像を、上下反転させる構成が、知られている。このようにすることで、撮影者自身を被写体として撮影する場合、いわゆる自分撮り等の場合にも、撮像される画像の確認が、容易になる。
【先行技術文献】
【特許文献】
【０００３】
【特許文献１】特開２００３−５１９７０号公報
【発明の概要】
【発明が解決しようとする課題】
【０００４】
しかしながら、このような従来の撮像装置は、撮影者の意図とは異なるタイミングで、画像の上下が反転してしまうおそれがあった。すなわち、画像の確認が困難になるという課題があった。具体的には、ローアングル撮影時に、撮影者がモニタを見やすいように回転させた場合、モニタがある程度以上回転したときに、画像の上下が反転してしまい、画像の確認がしにくくなるおそれがあった。
【０００５】
本発明は上記課題に鑑みてなされたものであり、利便性を向上した撮像装置を提供することを、目的とする。
【課題を解決するための手段】
【０００６】
ここに開示される撮像装置は、撮像部と、表示部と、回転検出部と、制御部とを、備えている。撮像部は、被写体を撮像して画像データを出力する。表示部は、画像データに基づいて画像を表示可能であり、表示面の向きを変更可能である。回転検出部は、表示部の表示面の向きを検出する。制御部は、被写体検出部と、表示制御部とを、有する。被写体検出部は、被写体を特定するための情報を、検出する。表示制御部は、被写体検出部の検出情報および回転検出部の検出結果に応じて、表示部に表示させる内容の上下を、反転させるか否かを、制御する。
【発明の効果】
【０００７】
本発明によれば、利便性を向上した撮像装置を提供することが出来る。
【図面の簡単な説明】
【０００８】
【図１】実施の形態１に係るデジタルカメラ１００の前面構成図
【図２】実施の形態１に係るデジタルカメラ１００の背面構成図
【図３】実施の形態１に係るデジタルカメラ１００の電気的構成図
【図４】実施の形態１に係る撮影モードにおける処理の流れを示すフローチャート
【図５】他の実施の形態に係る撮影モードにおける処理の流れを示すフローチャート
【発明を実施するための形態】
【０００９】
〔実施の形態１〕
実施の形態１のデジタルカメラ１００は、バリアングル式の液晶モニタ１２３を、備えている。このデジタルカメラ１００では、液晶モニタ１２３の回転状態の検出、および撮影する被写体の認識により、液晶モニタの表示状態が、ユーザの見やすい向きに、制御される。以下、デジタルカメラ１００の構成および動作を説明する。
【００１０】
〔１．構成〕
以下、図を用いてデジタルカメラ１００の構成を説明する。
〔１−１．デジタルカメラ１００の構成〕
図１は、デジタルカメラ１００の前面構成図である。デジタルカメラ１００は、前面に光学系１１０を納める鏡筒、及びフラッシュ１６０等を、備える。また、デジタルカメラ１００は、上面に静止画レリーズ釦２０１、ズームレバー２０２、及び電源釦２０３などの操作釦を、備える。また、デジタルカメラ１００は、上面にシーン切換ダイヤル２０９、及びファンクション釦２１０を、備える。
【００１１】
図２は、デジタルカメラ１００の背面構成図である。デジタルカメラ１００は、バリアングル方式の液晶モニタ１２３と、中央釦２０４、十字釦２０５、動画レリーズ釦２０６、及びモード切替スイッチ２０７などから構成される操作釦を、備える。なお、デジタルカメラ１００の液晶モニタ１２３の側部には、ファンクション釦２１０が設けられている。
【００１２】
図３は、デジタルカメラ１００の電気的構成図である。デジタルカメラ１００は、光学系１１０を介して形成された被写体像を、ＣＣＤイメージセンサ１２０で撮像する。ＣＣＤイメージセンサ１２０は、撮像した被写体像に基いて、画像データを生成する。撮像により生成された画像データは、ＡＦＥ（Ａｎａｌｏｇ  Ｆｒｏｎｔ  Ｅｎｄ）１２１や画像処理部１２２において、各種処理が施される。生成された画像データは、フラッシュメモリ１４２やメモリカード１４０等のような記録媒体に、記録される。本実施形態では、記録媒体の一例として、メモリカード１４０を用いた例を、示す。メモリカード１４０に記録された画像データは、使用者による操作部１５０（入力部の一例）の操作に基づいて、液晶モニタ１２３上に表示される。以下で、図１から図３に示す各構成の詳細を説明する。
【００１３】
光学系１１０は、フォーカスレンズ１１１、ズームレンズ１１２、絞り１１３、及びシャッター１１４等により、構成される。図示していないが、光学系１１０は、光学式手ぶれ補正（ＯＩＳ：Ｏｐｔｉｃａｌ  Ｉｍａｇｅ  Ｓｔａｂｉｌｉｚｅｒ）レンズを、含んでいてもよい。なお、光学系１１０を構成する各種レンズは、何枚から構成されるものでも、何群から構成されるものでもよい。
【００１４】
フォーカスレンズ１１１は、被写体のフォーカス状態の調節に用いられる。ズームレンズ１１２は、被写体の画角の調節に用いられる。絞り１１３は、ＣＣＤイメージセンサ１２０に入射する光量の調節に用いられる。シャッター１１４は、ＣＣＤイメージセンサ１２０に入射する光の露出時間を、調節する。フォーカスレンズ１１１、ズームレンズ１１２、絞り１１３、シャッター１１４は、それぞれに対応したＤＣモータやステッピングモータ等の駆動手段により、コントローラ１３０から通知された制御信号に従って、駆動される。
【００１５】
ＣＣＤイメージセンサ１２０は、光学系１１０を通して形成された被写体像を、撮像して、画像データを生成する。ＣＣＤイメージセンサ１２０は、デジタルカメラ１００が撮影モードにある場合、ＣＣＤイメージセンサ１２０は、一定時間ごとに新しいフレームの画像データを、生成する。
ＡＦＥ１２１では、ＣＣＤイメージセンサ１２０から読み出された画像データに対して、各種の処理が施される。各種の処理には、相関二重サンプリングによる雑音抑圧、アナログゲインコントローラによるＡ／Ｄコンバータの入力レンジ幅への増幅、Ａ／ＤコンバータによるＡ／Ｄ変換が、含まれる。その後、ＡＦＥ１２１は、画像データを画像処理部１２２に出力する。
【００１６】
画像処理部１２２は、ＡＦＥ１２１から出力された画像データに対して、各種の処理を施す。各種処理には、スミア補正、ホワイトバランス補正、ガンマ補正、ＹＣ変換処理、電子ズーム処理、圧縮処理、伸張処理等が、含まれる。各種処理には、これらの処理以外のものが含まれていてもよい。画像処理部１２２は、各種処理を施した画像情報を、バッファメモリ１２４に記憶する。画像処理部１２２は、ハードワイヤードな電子回路で、構成してもよい。また、画像処理部１２２は、プログラムを用いたマイクロコンピュータなどで、構成してもよい。また、画像処理部１２２は、コントローラ１３０などと共に、１つの半導体チップで構成してもよい。
【００１７】
液晶モニタ１２３は、デジタルカメラ１００の背面に設けられている。液晶モニタ１２３は、バリアングル方式のモニタである。バリアングル方式のモニタは、液晶モニタ１２３の表示面の向きを変更可能なように、構成されている。バリアングル方式の液晶モニタ１２３は、その表示面を本体に対して、開閉可能且つ回転可能である。これにより、液晶モニタ１２３の表示面を、デジタルカメラ１００の背面側及び／又は前面側に、向けることが可能である。例えば、図２は、縦方向の回転軸を中心にして、表示面を本体から１８０度開いた上で、表示面を背面側に向けている状態を、示している。この状態から表示面を左右方向の回転軸を中心に回転させた場合、表示面は前面側に向く。
【００１８】
液晶モニタ１２３は、画像処理部１２２にて処理された画像データに基づいて、画像を表示する。液晶モニタ１２３が表示する画像には、スルー画像及び記録画像が含まれる。スルー画像は、ＣＣＤイメージセンサ１２０により一定時間ごとに生成される新しいフレームの画像データを連続して表示する一連の画像に、対応している。通常は、デジタルカメラ１００が撮影モードにあるときに、画像処理部１２２がＣＣＤイメージセンサ１２０の生成した画像データから、スルー画像を生成する。使用者は、液晶モニタ１２３に表示されるスルー画像を参照することにより、被写体の構図を確認しながら撮影できる。記録画像は、デジタルカメラ１００が再生モードにあるときに、メモリカード１４０に記録された高画素の画像データを液晶モニタ１２３に表示するために低画素に縮小した画像に対応している。メモリカード１４０に記録される高画素の画像データは、使用者によるレリーズ釦の操作を受け付けた後に、ＣＣＤイメージセンサ１２０が生成した画像データに基づいて、画像処理部１２２により生成される。
【００１９】
液晶回転検出部１２５は、液晶モニタ１２３の開閉の有無及び／又は回転角度（回転状態）を検出して、検出結果をコントローラ１３０に通知する。コントローラ１３０は、検出結果である液晶モニタの開閉の有無及び／又は回転角度を、液晶回転検出部１２５から取得し、バッファメモリ１２４の中に格納する。本実施形態では、コントローラ１３０は、取得した検出結果の認識、及び特定の被写体の認識に基づいて、液晶モニタ１２３の表示状態が、ユーザの見やすい状態になるように、表示処理を行う。
【００２０】
コントローラ１３０は、デジタルカメラ１００全体の動作を、統括制御する。また、コントローラ１３０は、画像処理部１２２の処理が終了した後、バッファメモリ１２４に記憶された画像データを、メモリカード１４０へ記録する。コントローラ１３０は、プログラムを格納するＲＯＭ、プログラムを実行することにより各種情報を処理するＣＰＵなどにより、構成される。ＲＯＭは、ファイル制御、オートフォーカス制御（ＡＦ制御）や自動露出制御（ＡＥ制御）、フラッシュ１６０の発光制御に関するプログラムの他、デジタルカメラ１００全体の動作を統括制御するためのプログラムを、格納している。
【００２１】
コントローラ１３０は、顔認識部１３１（被写体検出部の一例）と、表示制御部１３２とを、有している。顔認識部１３１は、画像処理部１２２から取得した画像データ（被写体画像）に基づいて、特定画像（例えば人物の顔）を認識し、認識結果を被写体情報として出力する。例えば、コントローラ１３０は、顔認識用のプログラムを実行することにより、顔認識部１３１を実現する。
【００２２】
表示制御部１３２は、顔検出部１３１の検出結果および液晶回転検出部１２５の検出結果に応じて、液晶モニタ１２３に表示させる内容の上下を、反転させるか否かを、制御する。例えば、コントローラ１３０は、顔認識部１３１で認識された被写体情報と、液晶回転検出部１２５で得られた検出結果とに基づいて、液晶モニタ１２３の表示状態が、ユーザの見やすい状態になるように、表示処理する（詳細は後述する）。
【００２３】
コントローラ１３０は、ハードワイヤードな電子回路で構成してもよいし、マイクロコンピュータなどで構成してもよい。また、画像処理部１２２などと共に１つの半導体チップで構成してもよい。また、ＲＯＭはコントローラ１３０の内部構成である必要はなく、コントローラ１３０の外部に備わったものでもよい。
バッファメモリ１２４は、画像処理部１２２やコントローラ１３０のワークメモリとして機能する記憶手段である。バッファメモリ１２４はＤＲＡＭ（Ｄｙｎａｍｉｃ  Ｒａｎｄｏｍ  Ａｃｃｅｓｓ  Ｍｅｍｏｒｙ）などで実現できる。また、フラッシュメモリ１４２は、画像データおよびデジタルカメラ１００の設定情報等を記録するための内部メモリとして機能する。
【００２４】
カードスロット１４１は、メモリカード１４０を着脱可能な接続手段である。カードスロット１４１は、メモリカード１４０を電気的及び機械的に接続可能である。また、カードスロット１４１は、メモリカード１４０を制御する機能を備えてもよい。
メモリカード１４０は、内部にフラッシュメモリ等の記録部を備えた外部メモリである。メモリカード１４０は、画像処理部１２２で処理される画像データを記録可能である。
【００２５】
操作部１５０は、デジタルカメラ１００の外装に備わっている操作釦や操作ダイヤルの総称であり、使用者による操作を受け付ける。例えば、図１や図２に示すように、静止画レリーズ釦２０１、動画レリーズ釦２０６、ズームレバー２０２、電源釦２０３、中央釦２０４、十字釦２０５、モード切替スイッチ２０７、シーン切換ダイヤル２０９、及びファンクション釦２１０が、操作部１５０に対応する。操作部１５０は使用者による操作を受け付けると、コントローラ１３０に種々の動作指示信号を通知する。
【００２６】
静止画レリーズ釦２０１は、半押し状態と全押し状態の二段階押下式釦である。静止画レリーズ釦２０１が使用者により半押しされると、コントローラ１３０は、ＡＦ（Ａｕｔｏ  Ｆｏｃｕｓ）制御や、ＡＥ（Ａｕｔｏ  Ｅｘｐｏｓｕｒｅ）制御を実行し撮影条件を決定する。続いて、静止画レリーズ釦２０１が、使用者により全押しされると、コントローラ１３０は、撮影処理を行う。コントローラ１３０は、全押しのタイミングに撮像された画像データを静止画としてメモリカード１４０等に記録する。以下、単に静止画レリーズ釦２０１を押下すると記載する場合は、全押しを示すものとする。
【００２７】
動画レリーズ釦２０６は、動画記録の開始／終了を指示するための押下式釦である。動画レリーズ釦２０６が使用者によって押下されると、コントローラ１３０は、ＣＣＤイメージセンサ１２０が生成した画像データに基づいて、画像処理部１２２により生成された画像データを、動画として、メモリカード１４０等の記録媒体に連続的に記録する。再度、動画レリーズ釦２０６を押下すると、動画の記録が終了する。
【００２８】
ズームレバー２０２は画角を広角端と望遠端との間で調節するための中央位置自己復帰式のレバーである。ズームレバー２０２は、使用者により操作されると、コントローラ１３０にズームレンズ１１２を駆動するための動作指示信号を、通知する。すわなち、ズームレバー２０２が広角端側に操作されると、コントローラ１３０は、被写体を広角で捉えられるように、ズームレンズ１１２が駆動させられる。同様に、ズームレバー２０２が望遠端側に操作されると、コントローラ１３０は、被写体を望遠で捉えられるようにズームレンズ１１２を駆動する。
【００２９】
電源釦２０３は、デジタルカメラ１００を構成する各部への電力供給をユーザが指示するための押下式釦である。電源オフ時に電源釦２０３が使用者により押下されると、コントローラ１３０はデジタルカメラ１００を構成する各部に電力を供給し、起動させる。また、電源オン時に電源釦２０３が使用者により押下されると、コントローラ１３０は各部への電力供給を停止する。
【００３０】
中央釦２０４は、押下式釦である。デジタルカメラ１００が撮影モード又は再生モードにあるときに、中央釦２０４が使用者により押下されると、コントローラ１３０は、液晶モニタ１２３にメニュー画面を表示する。メニュー画面は、撮影／再生のための各種条件を設定するための画面である。メニュー画面で設定された情報は、フラッシュメモリ１４２に記録される。各種条件の設定項目が選択されているときに押下されると、中央釦２０４は決定釦としても機能する。
【００３１】
十字釦２０５は、上下左右方向に設けられた押下式釦である。使用者は、十字釦２０５のいずれかの方向を押下することにより、液晶モニタ１２３に表示される各種条件項目を選択することができる。
モード切替スイッチ２０７は、上下方向に設けられた押下式釦である。使用者はモード切替スイッチ２０７のいずれかの方向を押下することにより、デジタルカメラ１００の状態を、撮影モード、再生モードに切り替えることができる。
【００３２】
シーン切換ダイヤル２０９は、シーンモードを切り換えるダイヤルである。シーンモードとは、撮影状況に応じて設定されるモードの総称である。シーン切換ダイヤル２０９の切り換えによって、複数のシーンモードの中のいずれか１つのシーンモードが設定される。複数のシーンモードには、例えば、風景モード、人物モード、夜景モード、逆光モード、マクロモード、及びシーン自動判別モードが、含まれる。なお、シーン自動判別モードでは、例えば、風景モード、人物モード、夜景モード、夜景モード、逆光モード、及びマクロモードの中のいずれか１つのモードが、画像データに基づいて、自動的に設定される。
【００３３】
ファンクション釦２１０は、ユーザが所望の機能を設定可能な押下式釦である。ファンクション釦２１０は、液晶モニタ１２３に表示される画像の反転を、規制する機能を、割り当て可能である。ファンクション釦２１０は、例えば、図２に示すように、デジタルカメラ１００の上面と、液晶モニタ１２３の表示面の側方とに、設けられている。
なお、ＣＣＤイメージセンサ１２０は、撮像部の一例である。液晶モニタ１２３は、表示部の一例である。回転検出部１２５は、液晶モニタの１２３の開閉または回転状態を検出取得する手段の一例である。顔認識部１３１は、被写体検出部の一例である。
【００３４】
〔２．動作〕
〔２−１．デジタルカメラ１００の撮影動作〕
デジタルカメラ１００の撮影制御について説明する。デジタルカメラ１００は、液晶モニタの回転状態と特定の被写体とを、認識することで、ユーザの見やすい向きに画像を表示する。図４は、デジタルカメラ１００の撮影モード時の撮影制御のフローチャートである。デジタルカメラ１００は、撮影モードにおいて、動画および静止画の撮影を行うことができる。ここでは、一例として、静止画の撮影について説明する。
【００３５】
コントローラ１３０は、使用者のモード切替スイッチ２０７の操作により撮影モードに設定されたとき、静止画記録に必要な初期化処理を、行う（Ｓ４０１）。
初期化完了後、モード切替スイッチ２０７の状態が、撮影モードであれば、コントローラ１３０は、液晶モニタ１２３の回転情報を回転検出部１２５から取得し、回転の有無を判定する（Ｓ４０５）。ここでは、例えば、液晶モニタ１２３の表示面が背面側を向いている状態を、回転角度０度に設定している。この場合、この状態を基準として、液晶モニタ１２３の回転が９０度以上である場合（Ｓ４０５でＹｅｓ）、回転が有ると判定する。
また、この状態を基準として、液晶モニタ１２３の回転が９０度未満である場合（Ｓ４０５でＮｏ）、回転がないと判定する。
【００３６】
ステップＳ４０５で、液晶モニタ１２３が回転していると判定された場合（Ｓ４０５でＹｅｓ）、顔認識部１３１は、画像処理部１２２から取得した被写体画像を認識し、特定画像を判定する（Ｓ４０６）。本実施の形態では、特定画像（被写体を特定するための情報の一例）が、人物の顔画像である場合を一例として、説明する。すなわち、顔認識部１３１は、被写体画像の中に人物の顔画像が含まれているか否かを、検出し判定する。
【００３７】
ステップ４０６で、被写体画像に人物の顔画像が含まれていると判定された場合（Ｓ４０６でＹｅｓ）、コントローラ１３０は、液晶モニタ１２３の表示する画像の向きを、上下反転させる（Ｓ４０７）。また、被写体画像に人物の顔画像が含まれていないと判定された場合（Ｓ４０６でＮｏ）、液晶モニタ１２３に表示する画像の向きを、反転しない。
以上のステップ４０５からＳ４０７の判定処理により、例えば、液晶モニタ１２３の向きを反転（すなわち、９０度以上回転）させたときであっても、特定の被写体画像（顔画像）が写っていなければ（Ｓ４０６でＮｏ）、画像の反転表示が行われない。このため、ユーザがローアングルで撮影する時などに、液晶モニタ１２３の向きを大きく変えたとしても、液晶モニタ１２３には、ユーザの見やすい向きに画像が表示される可能性が高くなる。
【００３８】
ステップＳ４０５で、液晶モニタ１２３が回転していないと判定された場合（Ｓ４０５でＮｏ）、コントローラ１３０は、モード切替スイッチ２０７の状態の確認（Ｓ４０４）、スルー画像の表示（Ｓ４０８）、および静止画レリーズ釦２０１の押下の監視（Ｓ４０９）を含む、使用者からの入力確認処理や表示処理を、繰り返し実行する。なお、ステップＳ４０４において、モード切替スイッチ２０７の状態が、撮影モードでなければ撮影モードの処理を終了する。
ステップ４０９で、コントローラ１３０は、表示に関して、現在設定されている設定値に応じて、スルー画像の表示処理を行う（Ｓ４０８）。スルー画像の表示処理においては、ステップＳ４０９において、静止画レリーズ釦２０１の押下を検知すると、コントローラ１３０は、静止画の撮影処理を行う（Ｓ４１１）。
【００３９】
〔３．まとめ〕
以上のように、本実施の形態のデジタルカメラ１００は、被写体を撮像して画像データを出力するＣＣＤイメージセンサ１２０と、画像データに基づく画像を表示可能であり、表示面の向きを変更可能な液晶モニタ１２３と、液晶モニタ１２３の表示面の向きを検出する回転検出部１２５と、画像データに含まれる被写体に関する情報を検出する顔認識部１３１と、顔認識部１３１の検出結果および回転検出部１２５の検出結果に応じて、液晶モニタ１２３に表示させる表示内容の上下を反転させるか否かを制御するコントローラ１３０と、を備える。
【００４０】
この構成により、液晶モニタ１２３の向きを反転（すなわち、９０度以上回転）させたときであっても、被写体画像に特定画像（ex. 顔画像）が写っていなければ、画像の反転表示を行わないように制御される。このため、ローアングル撮影時などに、液晶モニタ１２３の向きを大きく変えたとしても、ユーザの見やすい向きに画像が表示される可能性が高くなる。その結果、デジタルカメラの利便性を、向上することができる。
【００４１】
〔４．他の実施の形態〕
本発明は、上記実施の形態に限定されず、種々の実施形態が考えられる。以下、本発明の他の実施の形態について記載する。
（Ａ）上記実施の形態では、被写体画像において認識する特定画像を、人物の顔画像としたが、特定画像は顔画像に限定されず、どのような画像であってもよい。例えば、特定画像は、動物の顔画像や、特定の図形画像や、バーコード等でもよい。
【００４２】
（Ｂ）上記実施の形態では、液晶モニタ１２３が回転しており、且つ被写体画像の中に特定画像が認識された場合に、表示状態を上下反転させる場合の例を示した。これに代えて、液晶モニタ１２３が回転しており、且つ被写体画像の中に特定画像が認識された場合に、表示状態を反転させないようにしてもよい。
【００４３】
（Ｃ）上記実施の形態では、被写体画像の中に特定画像（被写体を特定するための情報）が認識されるという条件が、示されている。この条件は、他の条件であってもよい。例えば、シーンモード情報（被写体を特定するための情報）に応じて、表示状態を上下反転させるかどうかを、決定するようにしてもよい。この場合、シーンモードの特定が、被写体の特定に対応している。シーンモード情報は、シーンモードを識別するための情報である。シーンモードは、例えば、シーン切換ダイヤル２０９を操作することによって、設定される。
より具体的には、風景モード、人物モード、夜景モード、逆光モード、マクロモードそれぞれに対して、所定の識別情報（値）が設定される。これにより、あるシーンモードが選択された場合、コントローラ１３０は、選択されたシーンモードに対応する識別情報（所定の値）を参照することによって、シーンモードを認識することができる。すなわち、コントローラ１３０は、シーンモードに応じて、表示状態を上下反転させるかどうかを、決定することができる。例えば、シーンモードがマクロモードである場合、表示制御部１３２は、回転検出部１２５の検出結果にかかわらず、液晶モニタ１２３に表示させる内容の上下を、反転させないように制御する。
なお、シーンモードがシーン自動判別モードである場合も、同様に制御することができる。例えば、シーン自動判別モードにおいて選択されたシーンモードに対応する識別情報を、コントローラ１３０に認識させることによって、上記のように、表示状態を上下反転させるかどうかを、決定することができる。
【００４４】
（Ｄ）上記実施の形態の構成に加えて、デジタルカメラの操作部１５０、例えばファンクション釦２１０を、操作した場合、液晶モニタ１２３の表示を上下反転しないようにしてもよい。
【００４５】
例えば、図６に示すように、ステップ４０６でＹｅｓの場合、ステップ４０８ｂで所定の釦例えばファンクション釦２１０が押下されたか否かが、判断される。ここで、ファンクション釦２１０が押下された場合（Ｓ４０８でＹｅｓ）、コントローラ１３０は、液晶モニタ１２３の表示を上下反転しないように制御する（Ｓ４１０）。一方で、ファンクション釦２１０が押下されなかった場合（Ｓ４０８でＮｏ）、コントローラ１３０は、液晶モニタ１２３の表示を上下反転する（Ｓ４０９）。
【００４６】
これにより、ユーザの意図に反する表示状態になったとしても、ユーザは、操作部１５０を操作することで、自分の意図する表示状態に変更することができる。
なお、図５では、ステップ４０８の部分だけが、図４とは異なる。このため、ここでは、ステップ４０８ｂの部分だけを説明し、ステップ４０８を除くステップについては、説明を省略した。なお、説明を省略したステップについては、図４の内容に準ずる。
【００４７】
（Ｅ）上記実施の形態では、撮像装置がデジタルカメラ１００である場合の例を説明したが、バリアングル方式のモニタを備えたものであれば、ムービー（ビデオカメラ）等であってもよい。
【産業上の利用可能性】
【００４８】
本発明によれば、利便性を向上した撮像装置を提供することが出来るため、デジタルスチルカメラ、ムービー、携帯電話、スマートフォン等にも適用できる。
【符号の説明】
【００４９】
１００  デジタルカメラ
１１１  フォーカスレンズ
１１２  ズームレンズ
１１３  絞り
１１４  シャッター
１２０  ＣＣＤイメージセンサ
１２１  ＡＦＥ（Ａｎａｌｏｇ  Ｆｒｏｎｔ  Ｅｎｄ）
１２２  画像処理部
１２３  液晶モニタ
１２４  バッファメモリ
１２５  回転検出部
１３０  コントローラ
１３１  顔認識部
１３２  表示制御部
１４０  メモリカード
１４１  カードスロット
１４２  フラッシュメモリ
１５０  操作部
１６０  フラッシュ
２０１  静止画レリーズ釦
２０２  ズームレバー
２０３  電源釦
２０４  中央釦
２０５  十字釦
２０６  動画レリーズ釦
２０７  モード切替スイッチ
【図１】
0005923759.tif 000002
【図２】
0005923759.tif 000003
【図３】
0005923759.tif 000004
【図４】
0005923759.tif 000005
【図５】
0005923759.tif 000006